(57)【特許請求の範囲】
【請求項１】
モップを把持するヘッド（１）と、該ヘッド（１）に回動連結部（２）を介して回動軸芯（Ｏ１）回り回動可能に連結された継手（３）と、該継手（３）に接続された柄（５）とを有する柄付モップ把持具において、
前記ヘッド（１）は、１対のモップ把持片（１２）を備え、両モップ把持片（１２）は前記回動連結部（２）により前記回動軸芯（Ｏ１）回りに回動可能に連結されることにより、翼状に開閉可能とし、
前記継手（３）に形成された継手ボス（１７）を、前記回動連結部（２）のブッシュ（２０）に、前記回動軸芯（Ｏ１）回り回動可能に嵌合すると共に、
前記ブッシュ（２０）の外周面に面圧調節可能にシュー（２８）を圧接することにより、前記継手（３）及び柄（５）を任意の回動位置で停止保持可能とし、
前記回動連結部（２）内に、前記モップ把持片（１２）を開状態にロックするロック機構を内蔵すると共に、前記回動連結部（２）の軸方向両端部にロック解除用の押ボタン（２４）を設けていることを特徴とする柄付モップ把持具。
【請求項２】
前記各モップ把持片は、閉状態において、先端部側に行くに従い互いに遠ざかるように曲がっていることを特徴とする請求項１記載の柄付モップ把持具。
【発明の詳細な説明】
【０００１】
【発明の属する技術分野】
本願発明は、モップを把持するヘッドと、該ヘッドに回動可能に連結される柄とを有する柄付モップ把持具に関し、特にヘッドとして、１対のモップ把持片を回動可能に連結することにより、翼状に開閉可能とした柄付モップ把持具に関する。
【０００２】
【従来の技術】
この種モップ把持具としては、たとえば実公昭５７−４６９３７号公報に記載されたものがあり、図１２に示すようにヘッド１０１は、１対のモップ把持片１００を回動連結部１０２により翼状に連結すると共に、該回動連結部１０２の上側にこれと直角方向の回動連結部１０３を設け、回動連結部１０３を介して柄１０７を回動可能に連結している。すなわち柄１０７は、ヘッド１０１に対して矢印Ａ方向及びＢ方向に回動できるようになっている。
【０００３】
ヘッド１０１側に柄１０７を倒すことにより、家具下面と床面との空間等、狭い隙間でも簡単に清掃することができ、また、１対のモップ把持片１００を開閉することにより、ヘッド１０１に対するモップＭの着脱作業も容易に行なえるようになっている。
【０００４】
【発明が解決しようとする課題】
図１２に示す従来の柄付モップ把持具では、床面を拭くことにより、ダストを取ることが第１と考えられていたため、上下二段に回動連結部１０３，１０２を設けることにより、柄１０７が２方向（Ａ方向及びＢ方向）に回動可能となっており、しかも、柄１０７はＢ方向には回動抑制機構はなく、殆ど自由状態となっており、清掃作業中に柄１０７がふらつくように考えられていた。しかし、箒のように掃く作業が必要な場合には、ヘッド１０１に対して柄１０７が安定しないと、清掃作業がし難くなることがある。
【０００５】
【発明の目的】
本願発明の目的は、ヘッドの高さを低く抑えて柄をコンパクトに折り畳むことができると共に、ヘッドに対して柄がふらつかず、また、モップの着脱も容易にできる柄付モップ把持具を提供することである。
【０００６】
【課題を解決するための手段】
上記課題を解決するため、本願請求項１記載のモップ把持具は、モップを把持するヘッド（１）と、該ヘッド（１）に回動連結部（２）を介して回動軸芯（Ｏ１）回り回動可能に連結された継手（３）と、該継手（３）に接続された柄（５）とを有する柄付モップ把持具において、前記ヘッド（１）は、１対のモップ把持片（１２）を備え、両モップ把持片（１２）は前記回動連結部（２）により前記回動軸芯（Ｏ１）回りに回動可能に連結されることにより、翼状に開閉可能とし、前記継手（３）に形成された継手ボス（１７）を、前記回動連結部（２）のブッシュ（２０）に、前記回動軸芯（Ｏ１）回り回動可能に嵌合すると共に、前記ブッシュ（２０）の外周面に面圧調節可能にシュー（２８）を圧接することにより、前記継手（３）及び柄（５）を任意の回動位置で停止保持可能とし、
前記回動連結部（２）内に、前記モップ把持片（１２）を開状態にロックするロック機構を内蔵すると共に、前記回動連結部（２）の軸方向両端部にロック解除用の押ボタン（２４）を設けていることを特徴としている。
【０００７】
請求項２記載の発明は、請求項１記載の柄付モップ把持具において、各モップ把持片は、閉状態において、先端部側に行くに従い互いに遠ざかるように曲がっていることを特徴としている。
【０００９】
【発明の実施の形態】
図１は、本願発明が適用される柄付モップ把持具の正面図であって、モップＭを着脱可能に把持するヘッド１と、該ヘッド１に回動連結部２を介して回動可能に連結された継手３と、該継手３に着脱可能に接続された柄５から構成されている。モップＭは基布８の下面に多数のパイル９が植設され、上面の両端部に袋状挿入部１０が設けられている。
【００１０】
図５はヘッド１の拡大正面図であり、説明の都合上ヘッド１の長手方向（図の左右方向）を左右方向と仮定して、以下、説明する。ヘッド１は、「へ」の字形に形成された左右１対のモップ把持片１２を、上記回動連結部２により回動可能に連結したものであり、両モップ保持片１２の先端部をモップＭの袋状挿入部１０に挿入することにより、モップＭを把持するようになっている。両モップ把持片１２は、図５のように翼状に開いた開状態から、図６のように回動連結部２回りに下方へ閉じた状態に亘って開閉可能となっている。
【００１１】
図２はヘッド１の平面図であり、各モップ把持片１２の基端部には回動軸芯Ｏ１方向に間隔をおいて第１、第２ボス部１４，１５がそれぞれ一体に形成されており、各第１ボス部１４は継手３に形成された継手ボス１７の軸芯方向両側に隣接配置され、各第２ボス部１５は継手ボス１７に対して第１ボス部１４よりも遠い位置に形成されており、それぞれ相手側モップ把持片１２の第１ボス部１４に隣接配置されている。
【００１２】
各モップ把持片１２の先端部はそれぞれ円弧状に形成され、また、基端側の上面には、図３及び図４に示すように折り畳時の継手３（又は柄５）を収納するための半円形の凹部１８が形成されている。
【００１３】
図７はロック機構を有する回動連結部２の分解斜視図であり、説明の都合上、回動連結部軸芯Ｏ１方向を単に軸芯方向と称し、継手３の棒状部分中心線Ｃ側を軸芯方向内方側と称し、棒状部分中心線Ｃから軸方向両側に離れる側を軸芯方向外方側と称することとする。継手ボス１７内にブッシュ２０及び軸芯方向伸縮自在なロック用コイルばね２１を配置し、コイルばね２１の軸芯方向両端部に、軸芯方向外方側へと順に、１対のロック用ストッパーガイド２２、１対のロック用ストッパー２３及び１対のロック解除用押ボタン２４を配置している。さらに軸芯Ｏ１上には金属製の軸芯ロッド２５を配置している。
【００１４】
継手ボス１７の内周面の上端にはシュー収納凹部２７が形成され、該凹部２７内には、ブッシュ２０の外周面に所定圧で圧接して、ブッシュ２０と継手３の間の回動を抑制する摩擦抵抗用シュー２８が収納されている。該シュー２８の下面２８ａはブッシュ２０の外周面形状に対応した部分円筒面に形成され、シュー２８の上面には円柱状のロッド部２８ｂが形成されており、該ロッド部２８ｂの上面には、継手３内に螺挿された調節ねじ２９が当接する。すなわち、調節ねじ２９を回動してシュー２８の下方突出量を任意に調節することにより、シュー下面２８ａとこれに圧接するブッシュ２０の外周面との面圧を調節し、継手３を任意の回動角度で適度な保持力（摩擦力）により保持できるようにしてある。
【００１５】
回動連結部２及びロック機構を詳しく説明する。なお、以下の説明において、軸方向とは回動軸芯Ｏ１方向を指し、ブッシュ２０は継手ボス１７の軸方向幅と同じ軸方向幅に形成されると共に、内周面に軸方向全長に亘る１対の条突起３２が形成されている。
【００１６】
ストッパーガイド２２は円筒状に形成されると共に軸方向中間部に支持壁２２ａを一体に有しており、外周円筒部分には、上記条突起３２に軸方向移動可能に係合する１対のスライド溝３５が形成され、軸芯部分には軸芯ロッド２５が嵌合する軸芯孔５０が形成されている。ストッパーガイド２２の外周面は段付形状となっており、中間の段部を境として軸芯方向外方側の外周面２２ｃは小径に形成されている。
【００１７】
ストッパー２３は円柱状の本体部分を有しており、該円柱状本体部分の外周に、前記ストッパーガイド２２のスライド溝３５に係合するロック用ストッパー突起３３が形成されている。円柱状の本体部分には、押ボタン２４の連結突起３９が挿入される１対の連結孔３８及び軸芯孔５１が形成されている。
【００１８】
各押ボタン２４は軸芯方向内方に突出する前記１対の連結突起３９を有しており、該連結突起３９の先端部には矢じり状の返し部が一体に形成され、押ボタン２４をストッパー２３に一体に結合できるようになっている。
【００１９】
各モップ把持片１２の第１ボス部１４の軸方向中央部側の端面には、押ボタン２４を挿入する際、ストッパー２３が軸方向内側に入り込まないように規制するため突起４３が形成されている。
【００２０】
各モップ把持片１２の第２ボス部１５の軸方向中央部側の端面には、上記ロック用ストッパー突起３３が軸方向に係脱可能な１対のロック用凹部４０が形成されると共に、各ロック用凹部４０に周方向に隣接して、押ボタン２４の位置ずれ防止のための突起４１が形成されており、モップ把持片１２を開く時に、位置決め用突起４１がストッパー突起３３に当接することにより、ストッパー突起３３を係合凹部４０に対応する位置に係止するようになっている。
【００２１】
図８は、図５のVIII-VIII断面展開拡大図であり、両把持片１２を開いてロックした状態を示している。各ストッパーガイド２２は、軸芯方向内方側の部分がブッシュ２０の内周面に嵌合すると共にスライド溝３５が条突起３２に係合している。すなわち、ブッシュ２０に対して軸方向移動可能で一体回動するようになっている。各ストッパーガイド２２の軸方向外方側部分は、ストッパー突起３３に対してスライド溝３５が係合し、ストッパー２２と一体回動するようになっている。また、第１ボス部１４の内向突起４３に対しては、ストッパーガイド２２の軸芯方向外方側の小径部分のスライド溝３５部分は、径が小さいことにより係合せず、軸芯方向内方側のスライド溝３５部分は、軸芯方向の移動により、係脱するようになっている。
【００２２】
ストッパー２３のストッパー突起３３は、軸方向内方側部分が前記ストッパーガイド２２のスライド溝３５に係合し、軸方向外方側部分が第２ボス部１５のロック用凹部４０に係合している。
【００２３】
押ボタン２４は、第２ボス部１５の大径内周面に軸方向移動可能に嵌合すると共に、連結突起３９がストッパー２３の連結孔３８に係止されており、これにより、押ボタン２４とストッパー２３は、軸方向及び及び回転方向のいずれにも一体化されている。
【００２４】
軸芯ロッド２５は左右のストッパー２３及びストッパーガイド２２の軸芯孔５０，５１に挿通されると共に係止リングにより左右のストッパー２３を係止している。
【００２５】
【作用】
［モップ把持片を開いてロックした状態］
図５のようにモップ把持片１２を開いてロックした時の回動連結部２の状態を、図８に示しており、ロック用コイルばね２１でストッパーガイド２２を軸方向外方に付勢していることにより、ストッパーガイド２２のスライド溝３５は、ブッシュ２０の条突起３２及びストッパー突起３３の両方に係合しており、ストッパー突起３３の軸方向外方側部分は、第２ボス部１５のロック用凹部４０に係合している。また、第１ボス部１４の内向突起４３にもスライド溝３５は係合している。すなわち、ブッシュ２０、ストッパーガイド２２、ストッパー２３、第２ボス部１５、押ボタン２４及び第１ボス部１４は回動方向に一体化されており、図５のように両モップ把持片１２は開いた状態でロックされている。この状態で継手３は回動連結部２に対して回動可能であり、シュー２８とブッシュ２０との摩擦により回動抑制され、所望の回動位置で停止保持できる。
【００２６】
［モップ把持片を閉じる場合］
図８において、両押ボタン２４を軸方向内方側に押し込むと、押ボタン２４と、ストッパー２３と、ストッパーガイド２２はロック用コイルばね２１に抗して軸方向内方側に移動し、図９に示すように、ストッパー突起３３が第２ボス部１５のロック用凹部４０から外れ、第２ボス部１５はストッパー２３、ストッパーガイド２２及びブッシュ２０に対して回動自在となる。また、第１ボス部１４に内向突起４３に対しては、ストッパーガイド２２の軸芯方向内方側の大径部分のスライド溝３５部分が外れ、回動自在となる。したがって両モップ把持片１２を下方へ回動することにより、図６のように両モップ把持片１２を閉じる。このようにモップ把持片１２を閉じることにより、使用済みのモップを簡単に取り外すことができる。なお、両モップ把持片１２は閉じた状態でも、ラッパ状に下開きの状態となっている。
【００２７】
［モップ把持片を開く場合］
図６のように閉じた状態のヘッド１の下方に新しいモップＭを置き、上方から押し付けることにより、自動的に各モップ把持片１２が開くと共に袋状挿入部１０に入り込み、図５のように所定角度開いた時に自動的にロックされる。詳しく説明すると、図１０は開き始めのストッパー突起３３と第２ボス部１５のロック用凹部４０の位置関係を示しており、この状態からストッパー２３に対してモップ把持片１２が矢印Ｐ方向に回動すると、図１１のようにストッパー突起３３に位置決め用突起４１が当接することにより、ストッパー突起３３と係合可能な位置にロック用凹部４０が位置決めされると共に、モップ把持片１２とストッパー２３との相対回動角度が固定される。他方のモップ把持片１２も同様に位置決めされると、図８のロック用ばね２１の付勢力により、各ストッパー突起３３がそれぞれロック用凹部４０に係合し、両モップ把持片１２は開状態でロックされる。これと同時に、モップＭも両モップ把持片１２により把持される。
【００２８】
［清掃する場合］
図１において、回動連結部２が一箇所であることにより、柄５の回動方向がヘッド１の長手方向（Ｂ方向）のみとなるので、通常は、柄５を両手で持って箒で掃く様に使用する。この際、柄５は上記のようにヘッド長手方向のみ回動可能であると共に、回動抑制機構を備えているので、柄がふらふらせず、しっかりと安定した状態で清掃することができる。
【００２９】
家具間の隙間や家具と床面との隙間を清掃する場合には、ヘッド１に対して柄５を倒してヘッド長さ方向にヘッド１を往復させる。両モップ把持片１２の回動連結部２と、柄１の回動部分とを同一軸芯上に揃えているので、ヘッド１の全高を低く抑えることができ、上下方向間隔の小さな隙間でも簡単にモップを挿入することができる。
【００３０】
また、モップ把持片１２の両端部をモップＭの袋状挿入部１０に差し込んであるので、掃除の際、モップ把持片１２の先端部分が家具等に当ることはなく、家具を傷付けることがない。
【００３１】
【その他の実施の形態】
（１）モップ把持片１２を図５のような「へ」の字形の他に、湾曲状に形成することも可能である。
【００３２】
【発明の効果】
以上説明したように本願発明によると、
（１）モップを把持するヘッドと、該ヘッドに継手を介して回動可能に連結される柄とを有する柄付モップ把持具において、上記ヘッドは、１対のモップ把持片を回動可能に連結することにより、翼状に開閉可能とし、継手に形成されたボス部を、モップ把持片同士の回動連結部のブッシュに、回動連結部軸芯回り回動可能に嵌合することにより、モップ把持片の回動連結部軸芯に、柄の回動中心を一致させてヘッドの高さを低く抑えることができ、狭い隙間でも簡単に清掃することができる。
【００３３】
（２）柄は一箇所のみで回動可能であり、しかも、回動連結部のブッシュの外周面に面圧調節可能にシューを当接することにより、柄を任意の回動位置で停止保持することが可能なので、箒で掃くように清掃する場合でも、ヘッドに対して柄がふらつかず、安定した状態で清掃でき、清掃作業が楽になる。
【００３４】
（４）柄とヘッドの間に、回動連結部のブッシュの外周面に、面圧調節可能なシューを押し当てて回動抑制機構としているので、回動抑制力が一様に安定し、また、面圧の調節もし易い。
【００３５】
（５）モップ把持片の回動連結部内に、柄の回動部並びにモップ把持片のロック機構を組み込むと共に、回動連結部の軸方向両端部にロック解除用の押ボタンを設けているので、ヘッドと柄との連結部分をコンパクトに纏めることができると共に、解除操作も楽である。
【００３６】
（６）各把持片を「へ」の字形あるいは湾曲状に柄側に反らしていると、モップを装着する際に、閉状態から柄を押し付けるだけで、モップ把持片を押し広げ、モップ把持片の先端部を自動的にモップに挿入することができ、モップ装着作業が簡単になる。
【図面の簡単な説明】
【図１】  本願発明を適用した柄付モップ把持具の正面図である。
【図２】  図１のヘッド部分の平面図である。
【図３】  モップ把持片単体の部分拡大平面図である。
【図４】  図３のIV矢視図である。
【図５】  開いてロックした状態を示すヘッドの正面拡大図である。
【図６】  閉じた状態を示すヘッドの正面拡大図である。
【図７】  回動連結部の分解斜視図である。
【図８】  図５のVIII-VIII断面拡大図である。
【図９】  ロック解除状態で示す図８と同じ部分の断面拡大図である。
【図１０】  図９のX-X断面図である。
【図１１】  図８のXI-XI断面図である。
【図１２】  従来例の斜視図である。
【符号の説明】
１  ヘッド
２  回動連結部
３  継手
５  柄
１２  モップ把持片
１４，１５  モップ把持片の第１，第２ボス部
１７  継手ボス
２０  ブッシュ（回動抑制機構）
２１  コイルばね
２２  ストッパーガイド
２３  ストッパー（ロック機構）
２４  押ボタン（ロック解除機構）
２５  軸芯ロッド
２８  シュー（回動抑制機構）
４０  ロック用凹部
【図１】
0004643819.tif 000002
【図２】
0004643819.tif 000003
【図３】
0004643819.tif 000004
【図４】
0004643819.tif 000005
【図５】
0004643819.tif 000006
【図６】
0004643819.tif 000007
【図７】
0004643819.tif 000008
【図８】
0004643819.tif 000009
【図９】
0004643819.tif 000010
【図１０】
0004643819.tif 000011
【図１１】
0004643819.tif 000012
【図１２】
0004643819.tif 000013